(57)【要約】【課題】乗場ホールへの設置およびホールドアを開放状態に固定する操作が容易であり、かつホールドアを確実に開放状態に固定できるように改良されたホールドア固定装置を提供する。【解決手段】ホールドア２の開閉を案内するホールシル１１に収納凹部１２を凹設するとともに、ホールドア２に係合する係合部材１３をホールシル１１に揺動自在に軸支する。収納凹部１２内に収納されたときの係合部材１３の背面１３ａがホールシル１１の表面と面一となるので、ホールドア２の開閉を滑らかに案内できる。係合部材１３を直接かつ容易に手で操作できるから操作機構等が不要であり、乗場ホールへの設置が容易である。係合部材１３がホールシル１１と係合するから、ホールドアを確実に開放状態に固定できる。【選択図】  図２
2004224466.tif 000002
【特許請求の範囲】
【請求項１】
エレベータの乗場ホールに設けたホールドアを開放状態に固定するための装置であって、
前記ホールドアの開閉を案内するホールシルの表面のうち前記ホールドアを開放したときに前記乗場ホールに露出する位置に凹設された収納凹部と、
前記収納凹部内に収納されたときに前記ホールドアの開閉方向に延在する係合部材と、
前記ホールドアを閉じる方向側の端部において前記係合部材を前記ホールシルに揺動自在に軸支する、前記ホールドアの開閉方向に対して垂直な方向に延在する揺動軸と、
を備え、
前記係合部材は、前記収納凹部内に収納された収納位置と、前記収納凹部から突出して前記ホールシルに係合し前記ホールドアを開放状態に固定可能な固定位置との間で揺動自在である、
ことを特徴とするエレベータのホールドア開放固定装置。
【請求項２】
前記係合部材は、前記収納凹部内に収納されたときに、前記収納凹部の外側に露出しているその表面が前記ホールシルの表面と面一となることを特徴とする請求項１に記載したエレベータのホールドア開放固定装置。
【請求項３】
その磁力によって前記係合部材を吸着して前記収納位置に固定する、前記ホールシルに設けられた磁石をさらに備えることを特徴とする請求項１または２に記載したエレベータのホールドア開放固定装置。
【請求項４】
前記係合部材が非磁性材料から形成されており、
かつその磁力によって前記ホールシル側に吸着し前記係合部材を前記収納位置に固定する、前記係合部材に設けられた磁石をさらに備える、
ことを特徴とする請求項１または２に記載したエレベータのホールドア開放固定装置。
【請求項５】
前記収納凹部は、前記ホールシルのホールドア開閉案内溝の底面に凹設されていることを特徴とする請求項１乃至４のいずれかに記載したエレベータのホールドア開放固定装置。
【請求項６】
前記収納凹部は、前記ホールシルの上面に凹設されていることを特徴とする請求項１乃至４のいずれかに記載したエレベータのホールドア開放固定装置。
【請求項７】
前記収納凹部は、前記ホールシルのホールドア開閉用案内溝の内側縦壁面に凹設されており、
かつ前記揺動軸が鉛直方向に延在していることを特徴とする請求項１乃至４のいずれかに記載したエレベータのホールドア開放固定装置。
【請求項８】
前記揺動軸が水平方向に延在するとともに、
前記係合部材の前記収納位置から前記固定位置への揺動角度が鋭角をなしていることを特徴とする請求項１乃至６のいずれかに記載したエレベータのホールドア開放固定装置。
【請求項９】
前記揺動軸が水平方向に延在するとともに、
前記係合部材の前記収納位置から前記固定位置への揺動角度が鈍角をなしていることを特徴とする請求項１乃至６のいずれかに記載したエレベータのホールドア開放固定装置。
【発明の詳細な説明】
【０００１】
【発明の属する技術分野】
本発明は、エレベータの保守点検作業の際にホールドアを開放状態に固定するための装置に関し、より詳しくは、設置および操作が簡単でありながらホールドアを確実に固定できるように改良されたホールドア固定装置に関する。
【０００２】
【従来の技術】
従来、エレベータの乗場ホールにはホールドアが設けられており、乗りかごが到着するとかご側ドアの開閉に連動して開閉するようになっている。
ところで、エレベータの保守点検作業を行う際には、乗りかごの上部や昇降路の内部での作業を行うために、ホールドアを単独で開放する必要がある。
このとき、ホールドアには閉じた状態を維持するための自閉機構が設けられているため、ホールドアを開放する際には自閉機構による閉じ方向の付勢力に抗してホールドアを開放状態に固定する必要がある。
【０００３】
そこで従来は、図９に示したように、エレベータの乗場ホール１に設けられているホールドア２を開放状態に固定するために、ホールドア２の開閉を案内するホールシル（乗場敷居）３の上面３ａとホールドア２の下面との間、若しくはホールドア２と三方枠４との間にくさび状の固定部材５を打ち込んでいた。
【０００４】
また、作業員がホールドアを開き方向にオーバーランさせると、ホールドアのハンガレールに設けた止めばねがハンガに設けた係合穴と係合し、あるいはホールドアの開き方向側の端部に突設した弾性固定具が戸当たり柱に設けた係合穴と係合するようにして、ホールドアを開放状態に固定する技術が提案されている。
【０００５】
また、ホールシルに設けたゴミ落とし穴に操作棒を挿通してホールシルの下方に設けられている操作機構を操作すると、ホールシルに設けた回動部材が回動してホールドアと係合しホールドアを開放状態に固定する技術も提案されている。
【０００６】
さらに、ホールシルに隣接させて乗場ホールの床面に収容凹部を設けるとともに、この収容凹部からストッパを持ち上げて回動させホールシル上に横たわらせるようにして、ホールドアを開放状態に固定する技術も提案されている。
【０００７】
【発明が解決しようとする課題】
しかしながら、くさび状の固定部材を打ち込むものにおいては、作業時の振動やスリップ等により固定部材が脱落し易く、ホールドアを確実に開放状態に固定することができない。
また、くさび状部材が昇降路内に落下するおそれもある。
【０００８】
止めばねや弾性固定具を用いるものにおいては、止めばねや弾性固定具のばね作用が弱まると、ホールドアを開放状態に確実に固定することができない。
また、作業員が止めばねや弾性固定具を直接目で見ることができないため、ホールドアを固定できたか否かを確認することができない。
さらに、止めばねや弾性固定具を交換する作業を容易に行うことができない。
【０００９】
操作機構を用いて回動部材を回動させるものにおいては、ホールシルの下方に操作機構を設置する作業が繁雑であるばかりでなく、複雑な操作機構に故障が生じた場合にはホールシルを取り外して修理しなければならない。
また、操作棒を用いて操作機構を作動させる作業が困難である。
さらに、作業員が回動部材を直接目で見ることができないため、ホールドアを固定できたか否かを確認することができない。
【００１０】
そこで本発明の目的は、上述した従来技術が有する問題点を解消し、乗場ホールへの設置およびホールドアを開放状態に固定する操作が容易であり、かつホールドアを確実に開放状態に固定できるように改良されたホールドア固定装置を提供することにある。
【００１１】
【課題を解決するための手段】
上記の課題を解決するための請求項１に記載した手段は、
エレベータの乗場ホールに設けたホールドアを開放状態に固定するための装置であって、
前記ホールドアの開閉を案内するホールシルの表面のうち前記ホールドアを開放したときに前記乗場ホールに露出する位置に凹設された収納凹部と、
前記収納凹部内に収納されたときに前記ホールドアの開閉方向に延在する係合部材と、
前記ホールドアを閉じる方向側の端部において前記係合部材を前記ホールシルに揺動自在に軸支する、前記ホールドアの開閉方向に対して垂直な方向に延在する揺動軸と、を備え、
前記係合部材が、前記収納凹部内に収納された収納位置と、前記収納凹部から突出して前記ホールシルに係合し前記ホールドアを開放状態に固定可能な固定位置との間で揺動自在であることを特徴としている。
なお、係合部材は細長い板状、棒状、角柱状とすることが好ましい。
また、係合部材は、その揺動端若しくはその基端がホールシルに係合（当接）するようにしてその固定位置を位置決めすることができる。
【００１２】
すなわち、請求項１に記載したエレベータのホールドア開放固定装置は、ホールシルそのものに係合部材を揺動自在に軸支する構造であるから、乗場ホールにホールシルを設置すると固定装置の設置も同時に完了する。
また、従来技術のように、係合部材を操作するための操作機構をホールシルの下方に設けたり、係合部材を収納するための収納凹部を乗場ホールに設けたりする必要がないから、容易に設置することができる。
また、ホールシルの表面のうちホールドアを開放したときに乗場ホールに露出する位置に係合部材を設けるから、エレベータの保守点検作業時に係合部材を揺動させてホールドアを開放状態に固定する作業を容易に行うことができるばかりでなく、ホールドアを固定できたか否かを容易に確認することもできる。
さらに、係合部材はホールドアおよびホールシルの両方に係合する構造であるから、ホールドアを確実に開放状態に固定することができる。
加えて、係合部材はホールシルに軸支されているから、昇降路内に落下させるおそれもない。
【００１３】
請求項２に記載した固定装置は、係合部材を収納凹部内に収納したときに、収納凹部の外側に露出している表面がホールシルの表面と面一となるように構成したものである。
すなわち、係合部材を収納凹部に収納したときに収納凹部の外側に露出している表面、言い換えると係合部材の背面がホールシルの表面と面一となるから、ホールドアの開閉を滑らかに案内することができるとともにホールシルの外観を損なうことがない。
【００１４】
請求項３に記載した固定装置は、係合部材を収納位置に固定するための磁石をホールシルに設けたものである。
すなわち、ホールシルに設けた磁石により係合部材を吸着して収納位置に固定することができるから、係合部材が不用意に揺動してホールドアの閉じ動作を妨げることを防止できる。
なお、磁石はホールシルに埋設することもできるし、ホールシルの表面に貼付し若しくは接着することもできる。あるいは、係合部材の先端に取り付けた磁石により係合部材をホールシルに吸着させることもできる。
【００１５】
請求項４に記載した固定装置は、係合部材を非磁性材料から形成するとともに、その磁力によってホールシル側に吸着し係合部材を収納位置に固定する磁石を係合部材に設けたものである。
すなわち、係合部材を非磁性材料から形成することにより、砂鉄のように磁性を帯びた異物が係合部材の表面に付着して、係合部材の揺動に支障を来したり外観を損なったりするすることを防止できる。
また、係合部材に設けた磁石がホールシル側を吸着して係合部材を収納位置に固定することができるから、係合部材が不用意に揺動してホールドアの閉じ動作を妨げることを防止できる。
【００１６】
請求項５に記載した固定装置は、ホールシルのホールドア開閉案内溝の底面に収納凹部を凹設したものである。
これにより、収納凹部および係合部材がホールシルの案内溝の底に位置するから、ホールシルの外観を損ねることもないし、エレベータの乗客が収納凹部若しくは係合部材に足を引っかけるおそれもない。
【００１７】
請求項６に記載した固定装置は、ホールシルの上面、詳しく説明すると乗場ホールの床面と面一な表面に収納凹部を凹設したものである。
これにより、作業員が係合部材を揺動させてホールドアを開放状態に固定する作業をより一層容易に行うことができる。
なお、ホールシルの上面のうち三方枠に最も近い位置に収納凹部を設ければ、エレベータの乗客が収納凹部若しくは係合部材に足を引っかけることを防止できる。
【００１８】
請求項７に記載した固定装置は、ホールシルのホールドア開閉用案内溝の内側縦壁面に収納凹部を設けるとともに、揺動軸が鉛直方向に延在するように構成したものである。
これにより、係合部材はホールシルの案内溝の内側において水平方向に揺動し、収納凹部を設けた内側縦壁面に対向する反対側の内側縦壁面にその揺動端が係合して固定位置を位置決めしつつ、ホールドアの下端に設けたドアシューに係合してホールドアを開放状態に固定する。
また、収納凹部および係合部材がホールシルの案内溝の内部に位置するから、ホールシルの外観を損ねることもないし、エレベータの乗客が収納凹部若しくは係合部材に足を引っかけることもない。
【００１９】
請求項８に記載した固定装置は、揺動軸が水平方向に延在するように配設するとともに、係合部材の収納位置から固定位置への揺動角度が鋭角となるように構成したものである。
なお、この場合には、ホールドアの開閉方向において、係合部材の先端と揺動軸との間に係合部材の重心が来るように係合部材を構成する。
すなわち、係合部材の収納位置から固定位置への揺動角度が鋭角であるから、固定位置にある係合部材の重心は揺動軸よりもホールドアの開き方向側にある。また、揺動軸が水平方向に延在しており、かつホールドアが閉じる方向側の端部において揺動軸が係合部材を軸支しているので、固定位置にある係合部材から手を離して固定状態から解除すると、係合部材は自らの重量によって収納位置へと揺動する。
これにより、開放状態に固定されているホールドアを開き方向へと移動させて係合部材とホールドアとの係合を解除すると、係合部材は自らの重量によって収納位置へと揺動するから、ホールドアを自在に開閉可能な通常の状態に容易に復帰させることができる。
【００２０】
請求項９に記載した固定装置は、揺動軸が水平方向に延在するように配設するとともに、係合部材の収納位置から固定位置への揺動角度が鈍角となるように構成したものである。
すなわち、係合部材の収納位置から固定位置への揺動角度が鈍角であるから、固定位置にある係合部材の重心は揺動軸よりもホールドアの閉じ方向側にある。また、揺動軸が水平方向に延在しており、かつホールドアが閉じる方向側の端部において揺動軸が係合部材を軸支しているから、固定位置にある係合部材から手を離しても係合部材は自らの重量によってその固定位置を保つ。
これにより、ホールドアを開放状態に固定する際に係合部材を揺動させて固定位置に置くと、係合部材は倒れることなく上方若しくは斜め上方に向かって起立した状態を保つから、係合部材に手を添え続ける必要がない。したがって、ホールドアを開放状態に固定する作業を容易に行うことができる。
【００２１】
【発明の実施の形態】
以下、図１乃至図８を参照し、本発明に係るエレベータのホールドア開放固定装置（以下、固定装置と略称する）の各実施形態について詳細に説明する。
なお、以下の説明においてはホールドアが開く方向を左方向と、ホールドアが閉じる方向を右方向と、かつエレベータの乗客が乗りかごに出入りする方向を前後方向と言う。また、同一の部分に同一の符号を用いてその説明を省略する。
【００２２】
第１実施形態
まず最初に図１乃至図３を参照し、第１実施形態の固定装置について詳細に説明すると、本第１実施形態の固定装置１０は、エレベータの乗場ホール１に設置されてホールドア２の開閉を案内するホールシル（乗場側敷居）１１に設けられている。
【００２３】
図２に示したように、本第１実施形態の固定装置１０は、ホールシル１１のうちホールドア２の開閉を案内する案内溝（敷居溝）１１ａの底面１１ｂに凹設された収納凹部１２と、この収納凹部１２の内部に収納されたときにホールドア２の開閉方向（図示左右方向）に水平に延在する細長い板状部材である係合部材１３と、ホールドア２が閉じる方向（図示右方向）側の端部において係合部材１３をホールシル１１に対し揺動自在に軸支する、前後方向（図示する紙面に対して垂直な方向）に水平に延在する揺動軸１４とを備えている。
【００２４】
収納凹部１２は、ホールシル１１の案内溝１１ａの底面１１ｂのうち、ホールドア２をほぼ一杯に開放したときにホールドア２の閉じ方向の先端の近傍、言い換えるとホールドア２がその内側に入り込む三方枠の近傍に凹設されている。
これにより、エレベータの保守点検作業の際にホールドア２をほぼ一杯に開くと、容易に収納凹部１２にアクセスして係合部材１３を操作し揺動させて、ホールドア２を開放状態に固定することができる。
【００２５】
係合部材１３は、図２に示した収納位置において、収納凹部１２の内部に収納されて左右方向に水平に延在するとともに、収納凹部１２から露出している表面（背面）１３ａが案内溝１１ａの底面と面一となっている。
これにより、係合部材１３の背面１３ａが案内溝１１ａの底面１１ｂの一部を構成するので、ホールドア２の下端に設けられているドアシュー２ａの左右方向の移動を妨げることはない。
【００２６】
また、収納凹部１２の底面１２ａに貼付されている薄板状の磁石１５は、鉄鋼等の磁性材料から成形されている係合部材１３をその磁力によって吸着し、係合部材１３をその収納位置に固定している。
これにより、係合部材１３が不用意に揺動してホールドア２の開閉動作を妨げることがない。
【００２７】
係合部材１３は、図３に示した固定位置において、その揺動端１３ｂが収納凹部１２から斜め上方に突出するとともに、その基端１３ｃが収納凹部１２のストッパ面１２ｂに当接している。
これにより、図示されない自閉機構により閉じ方向（図示右方向）に付勢されているホールドア２は、係合部材１３の揺動端１３ｂに当接してそれ以上前進することができなくなって開放状態に固定される。
【００２８】
係合部材１３は、図２に示した収納位置から図３に示した固定位置へと、揺動軸１４の周りに図示時計方向に角度θ°だけ揺動することができる。
このとき、揺動角度θ°の値は鈍角、すなわち９０°よりも大きい角度、好ましくは１００°〜１２０°となるように設定されているから、細長い板状の部材である係合部材１３の重心は、揺動軸１４よりもホールドアの閉じ方向（図示右方向）側にある。
より詳しく説明すると、揺動軸１４から係合部材１３の揺動端１３ｂに至る長さの方が、揺動軸１４から係合部材１３の基端１３ｃに至る長さよりも長いので、その断面形状が一定な係合部材１３の重心は揺動軸１４よりもホールドアの閉じ方向（図示右方向）側に来ることになる。
また、揺動軸１４が前後方向に水平に延在しており、かつホールドア２が閉じる方向側の端部において揺動軸１４が係合部材１３を軸支しているから、固定位置にある係合部材１３から手を離しても係合部材１３は自らの重量によってその固定位置を保つ。
これにより、ホールドア２を開放状態に固定する際に係合部材１３を揺動させて固定位置に置くと、係合部材１３は倒れることなく斜め上方に向かって起立した状態を保つから、係合部材１３に手を添え続ける必要がなく、ホールドア２を開放状態に固定する作業を容易に行うことができる。
【００２９】
なお、エレベータの保守点検作業が終了してホールドア２の開放状態での固定を解除する際には、ホールドア２を開き方向（図示左方向）に変位させて係合部材１３から離間させる。
次いで、係合部材１３を揺動軸１４の周りに図示反時計方向に付勢すると、係合部材１３は収納位置に向かって倒伏した後、磁石１５により吸着されて収納位置に固定されるから、ホールドア２を開閉自在な通常状態に戻すことができる。
【００３０】
第２実施形態
次に図４を参照し、第２実施形態の固定装置について詳細に説明する。
【００３１】
本第２実施形態の固定装置２０は、係合部材１３の揺動角度θ°の値が鋭角となっており、かつ係合部材１３の基端１３ｃが収納凹部１２のストッパ面１２ｃに当接（係合）するように構成されている点においてのみ、上述した第１実施形態の固定装置１０と異なっている。
【００３２】
すなわち、係合部材１３の収納位置から固定位置への揺動角度θ°が鋭角、好ましくは４５°〜６０°であるから、固定位置にある係合部材１３の重心は揺動軸１４よりもホールドアの開き方向（図示左方向）側にある。
より詳しく説明すると、係合部材１３の断面積が一定であり、かつ揺動軸１４から係合部材１３の揺動端１３ｂに至る長さの方が、揺動軸１４から係合部材１３の基端１３ｃに至る長さよりも長いので、係合部材１３の重心が揺動軸１４よりもホールドアの開き方向（図示左方向）側に来ることになる。
また、揺動軸１４が前後方向に水平に延在しており、かつホールドア２が閉じる方向側の端部において揺動軸１４が係合部材１３を軸支しているので、固定位置にある係合部材１３から手を離すと、係合部材１３は自らの重量によって収納位置へと復帰する。
これにより、開放状態に固定されているホールドア２を開き方向へと移動させて係合部材１３とホールドア２との係合を解除すると、係合部材１３は自らの重量によって収納位置へと揺動するから、ホールドア２を開閉自在な通常状態に戻すことができる。
【００３３】
第３実施形態
次に図５および図６を参照し、第３実施形態の固定装置について詳細に説明する。
【００３４】
本第３実施形態の固定装置３０は、エレベータの乗場ホール１に設置されているホールシル３１の上面３１ａに収納凹部３２が凹設されている点において、上述した第２実施形態の固定装置２０と異なっている。
なお、図５および図６においては、図示を単純化するために収納凹部３２の周りに描くべきハッチングを省略している。
【００３５】
すなわち、係合部材１３を収納するための収納凹部３２がホールシル３１の上面３１ａに凹設されているので、作業員が係合部材１３を揺動させてホールドア２を開放状態に固定する作業をより一層容易に行うことができる。
【００３６】
また、収納凹部３２は、ホールシル３１の上面３１ａのうち、ホールドア２をほぼ一杯に開いたときにホールドア２の閉じ方向の先端の近傍、言い換えるとホールドア２がその内側に入り込む三方枠の近傍に配設されている。
さらに、図５に示した収納位置にあるときの係合部材１３の背面１３ａがホールシル３１の上面３１ａと面一となっているので、エレベータの乗客が収納凹部３２若しくは係合部材１３に足を引っかけるおそれはない。
【００３７】
加えて、図６に示した固定位置においては、係合部材１３の基端１３ｃが収納凹部３２のストッパ面３２ｂに当接して位置決めされるので、ホールドア２を確実に開放状態に固定することができる。
このとき、係合部材１３の収納位置から固定位置への揺動角度θ°が鋭角となっている。また、係合部材１３の断面積が一定であり、かつ揺動軸１４から係合部材１３の揺動端１３ｂに至る長さの方が、揺動軸１４から係合部材１３の基端１３ｃに至る長さよりも長いので、係合部材１３の重心が揺動軸１４よりもホールドアの開き方向（図示左方向）側に来ることになる。
これにより、開放状態に固定されているホールドア２を開き方向へと移動させて係合部材１３とホールドア２との係合を解除すると、係合部材１３は自らの重量によって収納位置へと揺動するから、ホールドア２を開閉自在な通常状態に戻すことができる。
【００３８】
第４実施形態
次に図７および図８を参照し、第４実施形態の固定装置について詳細に説明する。
【００３９】
本第４実施形態の固定装置４０は、係合部材１３を収納する収納凹部４１がホールシル４２の案内溝４２ａの内側縦壁面４２ｂに前後方向に凹設されている点、および揺動軸１４が鉛直方向（図示する紙面に垂直な方向）に延びている点において上述した各実施形態の固定装置と異なっている。
【００４０】
すなわち、本第４実施形態の固定装置４０においては、係合部材１３がホールシル４２の案内溝４２ａの内側で、鉛直方向（上下方向）に延在している揺動軸１４の周りに水平方向に揺動する。
しかしながら、図７に示した収納位置においては、係合部材１３の背面１３ａが案内溝４２ａの内壁面のうち乗場ホール１側の内側縦壁面４２ｂと面一となるので、ホールドア２のドアシュー２ａの変位を滑らかに案内することができる。
【００４１】
また、図８に示した固定位置においては、係合部材１３の揺動端１３ｂが案内溝４２ａの内壁面のうち乗場ホール１とは反対側の内側縦壁面４２ｃに当接して正確に位置決めされるので、係合部材１３をドアシュー２ａに確実に係合させて、ホールドア２を確実に開放状態に固定することができる。
【００４２】
さらに、収納凹部４１および係合部材１３をホールシル４２の案内溝４２ａの内側に位置させて乗場ホールに露出しないようにすれば、ホールシル４２の外観を損ねることもないし、エレベータの乗客が収納凹部４１若しくは係合部材１３に足を引っかけることもない。
【００４３】
以上、本発明に係るエレベータのホールドア開放固定装置の各実施形態について詳しく説明したが、本発明は上述した実施形態によって限定されるものではなく、種々の変更が可能であることは言うまでもない。
例えば、上述した実施形態においては、左方向に開くホールドアを開放状態に固定する場合について説明しているが、右方向に開くホールドアを開放状態に固定する場合についても本発明の固定装置を全く同様に適用できることは言うまでもない。
【００４４】
【発明の効果】
以上の説明から明らかなように、本発明によれば、乗場ホールへの設置およびホールドアを開放状態に固定する操作が容易であり、かつホールドアを確実に開放状態に固定できるように改良されたホールドア固定装置を提供することができる。
【図面の簡単な説明】
【図１】第１実施形態の固定装置を用いてホールドアを開放状態に固定した状態を示す斜視図。
【図２】図１の固定装置の係合部材を収納位置で示す縦断面図。
【図３】図１の固定装置の係合部材を固定位置で示す縦断面図。
【図４】第２実施形態の固定装置の係合部材を固定位置で示す縦断面図。
【図５】第３実施形態の固定装置の係合部材を収納位置で示す縦断面図。
【図６】第３実施形態の固定装置の係合部材を固定位置で示す縦断面図。
【図７】第４実施形態の固定装置の係合部材を収納位置で示す平面図。
【図８】第４実施形態の固定装置の係合部材を固定位置で示す縦断面図。
【図９】くさび状の固定部材を用いてホールドアを固定した状態を示す斜視図。
【符号の説明】
１  乗場ホール
２  ホールドア
３  ホールシル
４  三方枠
１０  第１実施形態の固定装置
１１  ホールシル
１１ａ  ホールドア開閉案内溝
１２  収納凹部
１３  係合部材
１４  揺動軸
１５  磁石
２０  第２実施形態の固定装置
３０  第３実施形態の固定装置
３１  ホールシル
３２  収納凹部
４０  第４実施形態の固定装置
４１  収納凹部
４２  ホールシル
４２ａ  ホールドア開閉案内溝
４２ｂ  内側縦壁面
４２ｃ  内側縦壁面
【図１】
2004224466.tif 000003
【図２】
2004224466.tif 000004
【図３】
2004224466.tif 000005
【図４】
2004224466.tif 000006
【図５】
2004224466.tif 000007
【図６】
2004224466.tif 000008
【図７】
2004224466.tif 000009
【図８】
2004224466.tif 000010
【図９】
2004224466.tif 000011